(57)【特許請求の範囲】
【請求項１】
キャビネット本体の前面に三面鏡を配置してなるミラーキャビネットにおいて、三面鏡の両側のサイドミラー扉の背後側のキャビネット本体内にサイド収納部を設けると共に三面鏡の中央ミラー扉の背後側のキャビネット本体内に中央収納部を設け、前記サイドミラー扉は、ミラー前扉とこのミラー前扉の一端に蝶番にて枢着される後扉とよりなる２枚扉で構成され、後扉の蝶番側とは反対側の端部がスライド蝶番を介してサイド収納部の中央収納部側とは反対側の外端部に枢着されていると共に、後扉の裏側に収納棚を取り付け、収納棚の背後側に前記サイド収納部を設け、前記サイドミラー扉を構成するミラー前扉及び後扉の各把手部を、前記ミラー前扉及び後扉の各下端から下方に向かってそれぞれ突設したことを特徴とするミラーキャビネット。
【発明の詳細な説明】
【０００１】
【発明の属する技術分野】
本発明は、洗面化粧台（システムキッチン等も含む）などに用いられるミラーキャビネットに関するものである。
【０００２】
【従来の技術】
従来、この種のミラーキャビネットとして、キャビネット本体２の前面に三面鏡を配置したものがあり、図１７に示すように、キャビネット本体２内に複数の収納部７’を設けたものが一般的である。なお図１７は三面鏡を取り外した状態を示している。図１８（ａ）は両側の収納部７’に装着されるトレイ１８に細かい小物や細長い小物を入れた一例を示している。図１８（ｂ）は中央側の収納部７’の前側に落下防止バーを設けて収納物Ｅが落下するのを防止する場合の一例を示している。
【０００３】
【発明が解決しようとする課題】
ところが、従来のキャビネット本体２にあっては、各収納部７’の奥行き寸法Ａ’が同寸法に統一されており、このため歯ブラシや化粧小物などの小物を収納する場合はトレイ１８を用いており、トレイ１８の中で小物が倒れたり、混ざり合ったりして、きっちりとした収納ができないという問題があった。また化粧ボトルやスタイリングムースなどの大物を収納する場合は図１８（ｂ）のように落下防止バー３０が邪魔になって収納ができなくなるなど、収納物の大きさに合わせた収納もできず、不便を感じることがあった。
【０００４】
本発明は、上記の従来例の問題点に鑑みて発明したものであって、その目的とするところは、ミラーキャビネット内部の空間を有効利用して、ミラーキャビネットを大型化することなく、収納量の増加を図ることができると共に、収納物の大きさや使用頻度に合わせた収納ができ、小物から大物まできっちりと収納することができるミラーキャビネットを提供することにあり、他の目的とするところは、使い勝手が良く、特に、収納物が倒れたり飛び出したりするのを防止でき、また、髪を束ねるゴムや髪飾りなどの環状物を効率よく収納することができるミラーキャビネットを提供することにあり、さらに他の目的とするところは、ミラーキャビネット全体の小型化とその外観向上とを図ることができるミラーキャビネットを提供することにある。
【０００５】
【課題を解決するための手段】
上記課題を解決するために本発明にあっては、キャビネット本体２の前面に三面鏡３を配置してなるミラーキャビネットにおいて、三面鏡３の両側のサイドミラー扉４の背後側のキャビネット本体２内にサイド収納部７を設けると共に三面鏡３の中央ミラー扉５の背後側のキャビネット本体２内に中央収納部８を設け、前記サイドミラー扉４は、ミラー前扉９とこのミラー前扉９の一端に蝶番にて枢着される後扉１０とよりなる２枚扉で構成され、後扉１０の蝶番側とは反対側の端部１０ａがスライド蝶番１１を介してサイド収納部７の中央収納部８側とは反対側の外端部７ａに枢着されていると共に、後扉１０の裏側に収納棚６を取り付け、収納棚６の背後側に前記サイド収納部７を設け、前記サイドミラー扉４を構成するミラー前扉９及び後扉１０の各把手部１４を、前記ミラー前扉９及び後扉１０の各下端から下方に向かってそれぞれ突設したことを特徴としており、このように構成することで、キャビネット本体２のサイド収納部７の前方Ｆの空間部を利用して、サイドミラー扉４の裏側の収納棚６を納めることができ、ミラーキャビネット１を大型化することなく、収納量の増加及び収納効率の向上を図ることができる。また、２枚扉で構成されるサイドミラー扉４の後扉１０の裏側に収納棚６を取り付け、収納棚６の背後にサイド収納部７を設けたので、ミラー前扉９と後扉１０とを重ねた状態で外側に開くことによって、収納棚６が使用可能な状態となり、また、後扉１０を閉じたままでミラー前扉９のみを内側に開くようにすれば、三面鏡３として使用できるようになる。また例えばミラー前扉９と後扉１０とを重ねた状態で外側に９０°以上の広角度で開いたときでも、把手部１４がキャビネット本体２の側壁前端２ａに当ることがないため、ミラー前扉９とキャビネット本体２との間の隙間Ｇを小さくして外観を良くすることができると共に、ミラーキャビネット１全体の奥行き寸法が大きくなるのを防止できるようになる。
【０００６】
【発明の実施の形態】
以下、本発明を添付図面に示す実施形態に基づいて説明する。
【０００７】
本実施形態の洗面化粧台に用いられるミラーキャビネット１は、キャビネット本体２の前面に三面鏡３を配置して構成されており、図１〜図４の基本構成に示すように、三面鏡３の両側のサイドミラー扉４の裏側には収納棚６がそれぞれ取り付けられていると共に、収納棚６の背後側のキャビネット本体２内にはサイド収納部７が設けられ、また三面鏡３の中央ミラー扉５の背後側のキャビネット本体２内には中央収納部８が設けられている。なお図２では三面鏡３の図示を省略している。図２中の１７は三面鏡３の下方にその全幅方向に亘って設けられるミラーである。
【０００８】
ここでは、上記サイドミラー扉４は、それぞれ、図１に示すように、ミラー前扉９とこのミラー前扉９の一端に蝶番にて枢着される後扉１０とよりなる２枚扉（両開き扉）で構成されており、後扉１０の裏側に収納棚６が取り付けられている。左右両側のサイドミラー扉４は左右対称構造となっており、後扉１０の蝶番側とは反対側の端部１０ａがスライド蝶番１１（図１５）を介してサイド収納部７の中央収納部８側とは反対側の外端部７ａに枢着されており、ミラー前扉９と後扉１０とを重ねた状態で図１の矢印イで示すように外側に開いたり、或いは後扉１０を閉じたままでミラー前扉９のみを図１の矢印ロで示すように内側に開いたりできるようになっている。一方、中央ミラー扉５は、図１の矢印ハで示す方向に開閉自在な片開き扉からなる。
【０００９】
上記サイドミラー扉４の裏側に取り付けられる扉収納棚６は、化粧小物などを収納できるのに適しており、本例では図４に示すように、サイドミラー扉４の裏面に取り付けられる基板６ａの前面に、上下３段の棚部６ｂと、各棚部６ｂに載置した収納物が前方に倒れるのを防止するための上下複数段の落下防止柵１５とが一体形成されている。ここでは収納棚６を取り外して水洗いができるようにするために収納棚６はサイドミラー扉４の裏面にビス等で着脱可能に取り付けられている。なお棚部６ｂ及び落下防止柵１５の数、形状は図４の例に限られず適宜設計変更可能である。
【００１０】
一方、キャビネット本体２に設けられる中央収納部８の前端はサイド収納部７の前端よりも前方Ｆに突出していると共に、図１に示すように、収納棚６とサイド収納部７とが接触しない範囲内で且つ中央ミラー扉５と中央収納部８とが接触しない範囲内で、中央収納部８の奥行き寸法Ａがサイド収納部７の奥行き寸法Ｂよりも大きくなっている。これにより収納棚６とサイド収納部７との衝突及び中央ミラー扉５と中央収納部８との衝突をそれぞれ回避しながら、両収納部７，８を最大限まで大きくしてある。ここでは、サイド収納部７の横幅は中央収納部８の横幅よりも狭くなっており、サイド収納部７には例えば歯ブラシや背の高いボトルなどの収納に適したものとなっている。このサイド収納部７の上部及び中央部にはトレイ１８が着脱自在に取り付けられており、トレイ１８の取り付け高さを収納物の大きさ等に応じて変えることで、大きさの異なる収納物の収納に最適となっており、トレイ１８を取り外すことで水洗いが簡単にできるようになっている。さらにサイド収納部７の下部には収納物が直接収納されるようになっており、この部位にコンセントを標準装備しておけば、シェーバーなどを充電しながら収納可能となり、この場合、サイドミラー扉４でコンセントを覆うことができるので、水濡れに配慮した防水構造となる。
【００１１】
また、中央収納部８は、例えば図３（ｂ）に示すように上下３段に分かれており、その横幅はサイド収納部７の横幅よりも広く且つ上記のように奥行き寸法Ａがサイド収納部７の奥行き寸法Ｂよりも大きくなっているため、大きめの化粧ボトルやスタイリングムースなどを横に並べて収納するのに適している。
【００１２】
しかして、サイドミラー扉４の裏側の収納棚６には、普段よく使う化粧小物を収納できるようになり、また奥行き寸法Ｂの小さいサイド収納部７には歯ブラシ等の細長い小物などを収納できるようになり、奥行き寸法Ａの大きい中央収納部８には化粧ボトル等の大物を収納できるようになる。従って、収納物の大きさやその使用頻度に合わせて、きっちりとした収納が可能となり、使い勝手が大幅に向上する。また、キャビネット本体２のサイド収納部７の前方Ｆの空間部を利用して、サイドミラー扉４の裏側の収納棚６を納めることができるので、ミラーキャビネット１内部の空間を有効利用でき、ミラーキャビネット１を大型化することなく、収納量の増加及び収納効率の向上を図ることができる。
【００１３】
また本例では、サイドミラー扉４がミラー前扉９と後扉１０との２枚扉で構成されており、ミラー前扉９と後扉１０とを重ねた状態で外側（図１のイ方向）に開くことによって収納棚６を使用できるようになる。また、後扉１０を閉じたままでミラー前扉９のみを内側（図１のロ方向）に開くようにすれば、三面鏡３として使用できるようになる。またサイドミラー扉４と中央ミラー扉５を閉じた状態にすると、三面鏡３の下方に配置したミラー１７と合わせて、大型ミラーとして使用でき、空間的な広がりと奥行感とをもたらすことができるものとなる。
【００１４】
図５、図６は参考例であり、収納棚６の前面及びキャビネット本体２の収納部７，８の前面にはそれぞれ落下防止柵１５を架設すると共に、落下防止柵１５の一部に小物を引掛けるための引掛け部１６を設けた場合の一例を示している。他の構成は図１〜図４の基本構成と同様であり、対応する部分には同一符号を付しておく。ところで髪を束ねるゴムや髪飾りなどの環状物Ｅ１をトレイなどにまとめて収納すると、トレイ内部を覗き込んで出し入れする必要がある。そこで本参考例では図５に示すように、収納棚６の前面に設けられた落下防止柵１５の一部に、上方に開口したＵ字状のスリット２０を複数設け、このスリット２０間の凸部２１に髪を束ねるゴムや髪飾りなどの環状物Ｅ１を引掛けるようにしている。これにより、収納棚６を覗き込むことなく、外から一目で見えることができ、また引掛けられているため出し入れも容易となり、また環状物Ｅ１は収納棚６の外側に配置されるため、収納棚６を効率よく使用できる。また図６（ａ）に示すようにキャビネット本体２の収納部（本例ではサイド収納部７）に収納されるトレイ１８の前面に、上方に開口したＵ字状のスリット２０を複数設けたり、図６（ｂ）に示すようにトレイ１８の前面上部に上方に突出した凸リブ２２を設けたりすることにより、これら凸部２１或いは凸リブ２２を利用してゴムなどの環状物Ｅ１を引掛けて収納できるものとなる。
【００１５】
図７、図８は更に他の参考例であり、サイド収納部７の最下部の底面７ａに、サイドミラー扉４を閉じたときに収納棚６と接触しないように収納物Ｅを後方Ｄに寄せて載置するための段差部１２を盛り上げ形成した場合の一例を示している。他の構成は図１〜図４の基本構成と同様であり、対応する部分には同一符号を付しておく。ところでサイド収納部７の底面７ａ全体が平坦な場合は図９、図１０のように、収納物Ｅが前に寄ってサイドミラー扉４を閉じたときに収納棚６に収納物Ｅが衝突することがある。そこで本参考例では、図７、図８に示すように、サイド収納部７の最下部の底面７ａを上方に肉盛りして、収納物Ｅを後方Ｄに寄せて載置するための段差部１２が形成されている。ここでは段差部１２の前端はサイドミラー扉４を閉じたときの収納棚６の背面近くで途切れており、従って、段差部１２の上に収納物Ｅを載置することで収納物Ｅが収納棚６に衝突するのを回避できるようになる。また段差部１２は肉盛り形成されるので、サイド収納部７の底面７ａを補強できる利点もある。さらに本例では、段差部１２の前端側に、収納物Ｅの滑り止め用の突起部１３が突設されている。これにより、収納物Ｅが段差部１２上を滑って前方に移動するのを突起部１３にて防止でき、収納物Ｅの落下防止効果が得られる。従って、サイドミラー扉４を開閉するたびに収納物Ｅが前に倒れたり飛び出したりすることがなくなり、きっちりと収納できるようになる。
【００１６】
図１１は本発明の実施形態であり、上記サイドミラー扉４を構成するミラー前扉９及び後扉１０の各把手部１４を、ミラー前扉９及び後扉１０の各下端から下方に向かってそれぞれ突設した場合の一例を示している。他の構成は図１〜図４の基本構成と同様であり、対応する部分には同一符号を付しておく。本例ではミラー前扉９と後扉１０とを重ねた状態では各把手部１４が重ならないように互い違いに配置されており、把手部１４によってミラー前扉９のみを内側（矢印ロの方向）に開いたり、或いはミラー前扉９と後扉１０とを重ねた状態で外側（矢印イの方向）に開いたりできるようになる。ちなみに図１２に示すように、把手部１４’をミラー前扉９及び後扉１０の下端から前方に突出させると、ミラー前扉９と後扉１０とを重ねた状態で外側（図１３、図１４’の矢印イ方向）に９０°以上の広角度で開いたときに、サイドミラー扉４全体の厚みＬ（図１３（ｂ））が厚くなるため、図１５に示すように、把手部１４’がキャビネット本体２の側壁前端２ａに当るようになり、このためミラー前扉９とキャビネット本体２との間に大きな隙間Ｇを設ける必要が生じる。なお把手部１４’は丸形に限らず図１６のように角形でもよい。いずれの場合も、隙間Ｇを通して外部から中のものが見えてしまい、美観が損なわれるという問題や、ミラーキャビネット１全体の奥行き寸法が大きくなるという問題がある。
【００１７】
これに対して本実施形態では図１１のようにミラー前扉９及び後扉１０の各把手部１４をそれぞれ下方に突出させているので、ミラー前扉９と後扉１０とを重ねた状態で外側に９０°以上の広角度で開いたときでも、把手部１４がキャビネット本体２の側壁前端２ａに当ることがないため、ミラー前扉９とキャビネット本体２との間の隙間Ｇを小さくでき、これに伴い隙間Ｇによる外観低下を防止できると共に、ミラーキャビネット１全体の奥行き寸法を小さくできるという利点がある。
【００１８】
【発明の効果】
上述のように請求項１記載の発明にあっては、キャビネット本体の前面に三面鏡を配置してなるミラーキャビネットにおいて、三面鏡の両側のサイドミラー扉の背後側のキャビネット本体内にサイド収納部を設けると共に三面鏡の中央ミラー扉の背後側のキャビネット本体内に中央収納部を設け、前記サイドミラー扉は、ミラー前扉とこのミラー前扉の一端に蝶番にて枢着される後扉とよりなる２枚扉で構成され、後扉の蝶番側とは反対側の端部がスライド蝶番を介してサイド収納部の中央収納部側とは反対側の外端部に枢着されていると共に、後扉の裏側に収納棚を取り付け、収納棚の背後側に前記サイド収納部を設けたので、キャビネット本体のサイド収納部の前方の空間部を利用して、サイドミラー扉の裏側の収納棚を納めることができるので、ミラーキャビネット内部の空間を有効利用でき、ミラーキャビネットを大型化することなく、収納量の増加及び収納効率の向上を図ることができるものであり、また前記サイドミラー扉を構成するミラー前扉及び後扉の各把手部を、前記ミラー前扉及び後扉の各下端から下方に向かってそれぞれ突設したので、例えばミラー前扉と後扉とを重ねた状態で外側に９０°以上の広角度で開いたときでも、把手部がキャビネット本体の側壁前端に当ることがないため、ミラー前扉とキャビネット本体との間の隙間を小さくでき、これに伴い隙間による外観低下を防止できると共に、ミラーキャビネット全体の奥行き寸法を小さくできるものである。
【図面の簡単な説明】
【図１】  本発明の基本構成を示す平面断面図である。
【図２】  同上の三面鏡を省略したキャビネット本体及び収納棚の正面図である。
【図３】  （ａ）は図２のＭ−Ｍ線断面図、（ｂ）は図２のＮ−Ｎ線断面図である。
【図４】  同上のサイドミラー扉を開いた状態の斜視図である。
【図５】  （ａ）は同上の収納棚に引掛け部を設けた場合の斜視図、（ｂ）は髪を束ねるゴムを引掛けた状態の斜視図、（ｃ）は髪飾りを引掛けた状態の斜視図である。
【図６】  （ａ）は同上のトレイに引掛け部を設けた場合の斜視図、（ｂ）は引掛け部として凸リブを設けた場合の斜視図である。
【図７】  参考例を示す斜視図である。
【図８】  図７のＨ−Ｈ線断面図である。
【図９】  サイドミラー扉を開いた状態の参考図である。
【図１０】  （ａ）（ｂ）は収納棚と収納物とが衝突する状態を説明する参考図である。
【図１１】  本発明の把手部を下方に向けた実施形態を示し、（ａ）はサイドミラー扉を閉じた状態を示す斜視図、（ｂ）はミラー前扉だけを開いた状態を示す斜視図である。
【図１２】  同上の把手部が前方に向いている場合の参考図である。
【図１３】  （ａ）は図１２のサイドミラー扉の開く方向の説明図、（ｂ）はサイドミラー扉全体の厚みの説明図である。
【図１４】  （ａ）は図１２のサイドミラー扉を閉じた状態を示す斜視図、（ｂ）はミラー前扉だけを開いた状態を示す斜視図である。
【図１５】  同上のスライド蝶番の説明図である。
【図１６】  図１２のサイドミラー扉を９０°以上開いたときにキャビネット本体の側板前端に当った状態の説明図である。
【図１７】  （ａ）は従来のキャビネット本体の正面図、（ｂ）は平面断面図である。
【図１８】  （ａ）は従来のトレイの斜視図、（ｂ）は従来の落下防止バーを備えた収納部の断面図である。
【符号の説明】
１  ミラーキャビネット
２  キャビネット本体
３  三面鏡
４  サイドミラー扉
５  中央ミラー扉
６  収納棚
７  サイド収納部
７ａ  外端部
８  中央収納部
９  ミラー前扉
１０  後扉
１０ａ  端部
１１  スライド蝶番
１２  段差部
１３  突起部
１４  把手部
１５  落下防止柵
１６  引掛け部
Ａ  中央収納部の奥行き寸法
Ｂ  サイド収納部の奥行き寸法
Ｅ  収納物
Ｆ  前方
【図１】
0004146651.tif 000002
【図２】
0004146651.tif 000003
【図３】
0004146651.tif 000004
【図４】
0004146651.tif 000005
【図５】
0004146651.tif 000006
【図６】
0004146651.tif 000007
【図７】
0004146651.tif 000008
【図８】
0004146651.tif 000009
【図９】
0004146651.tif 000010
【図１０】
0004146651.tif 000011
【図１１】
0004146651.tif 000012
【図１２】
0004146651.tif 000013
【図１３】
0004146651.tif 000014
【図１４】
0004146651.tif 000015
【図１５】
0004146651.tif 000016
【図１６】
0004146651.tif 000017
【図１７】
0004146651.tif 000018
【図１８】
0004146651.tif 000019